(57)【要約】【課題】各種形状の看板パネルの適用が可能で、また、光源の交換等の光源ケース内のメンテナンスを容易に行うことができる簡易な構成の内照式看板装置を備えた建屋を提供する。【解決手段】建屋１は、バックライト光源１１を内設した光源ケース１２と、その照明開口１２ａを覆うように取付けた半透過性板材による看板パネル１３とからなる内照式看板装置３を屋根２の軒端に備え、上記看板パネル１３は、照明開口１２ａの上辺部に設けた支軸１４によって上方に回動可能に軸支したものである。【選択図】図２
2007047592.tif 000002
【特許請求の範囲】
【請求項１】
バックライト光源（１１）を内設した光源ケース（１２）と、その照明開口（１２ａ）を覆うように取付けた半透過性板材による看板パネル（１３）とからなる内照式看板装置（３）を屋根（２）の軒端に備えた建屋において、上記看板パネル（１３）は、照明開口（１２ａ）の上辺部に設けた支軸（１４）によって上方に回動可能に軸支してなることを特徴とする建屋。
【請求項２】
前記光源ケース（１２）は、屋根（２）の軒下に配置するとともに、支軸（１４）を軒端の屋根（２）上面より上位に配置してなることを特徴とする請求項１記載の建屋。
【発明の詳細な説明】
【技術分野】
【０００１】
本発明は、内照式看板装置を屋根の軒端に備えた建屋に関するものである。
【背景技術】
【０００２】
建屋の屋根の軒端に内照式看板装置を備えたものが知られており、その内照式看板装置の構成は、例えば、特許文献１に記載のように、バックライト光源を内設した光源ケースと、その照明開口を覆う半透過性板材による看板パネルとから構成され、この看板パネルに光源ケースの照明開口から背後照明を受けることによって照明表示される。その看板パネルは、光源ケースの照明開口に開閉可能に取付けた枠部材に保持することにより、照明開口を開いて光源の交換等の光源ケース内のメンテナンスを行うことができる。
【０００３】
しかしながら、上記内照式看板装置は、看板パネルの形状に対応した枠部材および光源ケースが必要となることから、看板パネルの形状や大きさは、常に光源ケースの形状による一定の制約が余儀なくされていた。また、メンテナンスの際は、看板パネルを保持する重い枠部材を一体的に開閉操作する煩わしい取扱いが必要であった。
【特許文献１】特開平１０−３２１０１１号公報
【発明の開示】
【発明が解決しようとする課題】
【０００４】
解決しようとする問題点は、各種形状の看板パネルの適用が可能で、また、光源の交換等の光源ケース内のメンテナンスを容易に行うことができる簡易な構成の内照式看板装置を備えた建屋を提供することにある。
【課題を解決するための手段】
【０００５】
請求項１に係る発明は、バックライト光源を内設した光源ケースと、その照明開口を覆うように取付けた半透過性板材による看板パネルとからなる内照式看板装置を屋根の軒端に備えた建屋において、上記看板パネルは、照明開口の上辺部に設けた支軸によって上方に回動可能に軸支してなることを特徴とする。
上記看板パネルは、光源ケースの照明開口を覆う位置で回動操作可能に背後照明を受けることによって照明表示される。
【０００６】
請求項２に係る発明は、請求項１の構成において、前記光源ケースは、屋根の軒下に配置するとともに、支軸を軒端の屋根上面より上位に配置してなることを特徴とする。
上記看板パネルは屋根上面より上位配置の支軸によって軒端に軸支される。
【発明の効果】
【０００７】
請求項１の構成により、半透過性板材による看板パネルは光源ケースの照明開口を覆う位置で背後照明を受けることによって照明表示され、また、看板パネルを上方に回動操作すると照明開口の上辺部の支軸を中心に照明開口が開放される。したがって、看板パネルの形状は、光源ケースの照明開口の大きさによる制約を受けることがないので、光源ケース側の大きさとの対応を要することなく、看板パネルを必要な形状に設定することができ、また、高い位置にある屋根の軒端の下方から回動操作ができるため、光源の交換等の光源ケース内のメンテナンスを容易に行うことができる。
【０００８】
請求項２の構成により、看板パネルは屋根上面より上位配置の支軸によって軒端に軸支される。したがって、看板パネルが光源ケースの照明開口の外縁を超えてその上方まで延びる形状であっても、看板パネルの回動操作によって照明開口を大きく開放することができる。
【発明を実施するための最良の形態】
【０００９】
上記技術思想に基づいて具体的に構成された実施の形態について以下に図面を参照しつつ説明する。
発明に係る内照式看板装置を備えた建屋１は無人店舗等に広く適用され、例えば、コイン式自動精米店舗の正面図（ａ）および側面図（ｂ）を図１に示すように、ユーザ用の正面口１ｅを備え、内部に自動精米装置を収容して構成される。建屋１の屋根２の軒端部には屋根隠し２ｆを取付け、この屋根隠し２ｆの正面部に内照式看板装置３を設け、また、必要により、側面、背面の屋根隠し２ｆに内照式看板装置３を配置する。
【００１０】
がく
看板装置３は、その拡大側面図を図２に示すように、蛍光灯等によるバックライト光源１１を内設した光源ケース１２と、その前面に開口する照明開口１２ａを覆うように取付けた半透過性板材による看板パネル１３とから構成する。看板パネル１３は、背面に裏板１３ｂを一体に固着して補強し、この裏板１３ｂに軸孔付きの支持材１３ｓを取付ける。この支持材１３ｓを軸支するための支軸４を光源ケース１２の照明開口の近傍に設け、その照明開口を塞いで看板パネル１３を上方に回動可能に軸支する。光源ケース１２は、屋根隠し２ｆと一体に、または、屋根隠し２ｆの一部として嵌め込むように固定する。
【００１１】
上記構成の内照式看板装置３は、看板パネル１３が光源ケース１２の照明開口１２ａを覆う位置に支持材１３ｓを介して配置され、バックライト光源１１によって背後照明を受けることにより照明表示される。また、支軸４を光源ケース１２の照明開口１２ａの上辺部に設けることにより、看板パネル１３を上方に回動操作すると支軸１４を中心に照明開口１２ａが開放される。
【００１２】
このように、看板パネル１３の形状は、光源ケース１２の照明開口１２ａの大きさによる制約を受けることがないので、光源ケース側の大きさとの対応を要することなく、看板パネル１３を必要な形状に設定することができ、かつ、光源１１の交換等の光源ケース１２内のメンテナンスを容易に行うことができる。
【００１３】
また、光源ケース１２は、屋根２の軒下に配置するとともに、支軸１４を軒端の屋根上面より上位に配置することにより、看板パネル１３が屋根上面より上位の軸線で回動可能に軒端に軸支される。したがって、看板パネル１３が光源ケース１２の照明開口１２ａの外縁を超えてその上方まで延びる形状であっても、看板パネル１３の回動操作によって照明開口１２ａの開放を確保しつつ、看板パネル１３の自由な形状設定が可能となる。
【００１４】
建屋１内には、機器配置図および機器側面図を図３、図４にそれぞれ示すように、正面口１ｅに面して操作室２１を配置し、この操作室２１の正面壁２２の奥側に機械室２３を構成する。正面壁２２はコイン投入口およびスイッチ類を配した操作パネルを構成し、その両側部に玄米投入ホッパ２４と他側部に精米払出し部２５を操作室２１に臨んで配置する。機械室２３には、玄米投入ホッパ２４から精米払出し部２５までの間に石抜機２６、精米機２７をエレベータ２６ｅ，２７ｅとともにその順に配置し、また、精米払出し部２５の近傍にいわゆる無洗米加工用の研米機２８を配置し、精米機２７から切替弁２７ｖを介して循環、払出、研米を切替え可能に構成する。また、精米機２７から糠を吸引する糠吸引ファン２７ｓを設ける。なお、２８ｓは研米機２８で研米処理した研米を精米払出し部２５に搬送するエレベータであり、２８ｔは研米機２８とエレベータ２８ｓを囲む研米機仕切壁である。
【００１５】
研米機２８は、具体的には縦断面図を図５に示すように、筒状筐体３１の中心部に、多角形状に形成した内部研磨樹脂による縦軸回転部３１ｒを速度調節可能に軸支し、その外周面に接するように上段から精米網３２、外部研磨樹脂３３、研米網３４による固定筒部を設け、その外周側を筒状筐体３１の内周面に沿う排風路３１ｂとするべく、筒状筐体３１に送風口２８ｃと排風口２８を形成して糠を吸引し、上端に投入口３６、下端に排出口３７を形成して流下する米を回転部３１ｒにより研磨するように構成する。
【００１６】
上記精米機２７および研米機２８は、それぞれの摩擦力を変更することにより糠の除去割合を変更可能に構成する。糠の除去割合は、米が持つ全糠を１００とすると、精米機２７でｎだけの糠を除去した場合に、研米機２８で残りの１００−ｎの糠を除去する。除去割合の指定は、「上白」「無洗米」のボタンとは別に、「良食味」ボタンを設けて精米機２７および研米機２８の処理割合を調節する。割合の調節はダイヤル、カーソルキー等による入力でもよい。精米機２７と研米機２８の糠除去割合は、例えば、「良食味」は、５割対５割、「無洗米」は９割対１割等に設定する。
【００１７】
上記構成の精米機２７および研米機２８は、いずれも米に摩擦力を与えて米を加工し、一方の精米機２７によって精白処理し、他方の研米機２８によって無洗米仕上げがなされ、おのおの、摩擦力によって糠を除去することができる。その摩擦力が過大になると穀温上昇によって米に胴割れが生じたり、米が削られて食味が低下するので、上記構成のようにその摩擦力を管理変更することにより、過度の力による胴割れや食味低下を防ぎ、また、米の状態に応じて加工の加減が可能となる。
【００１８】
次に、研米機２８の糠送りの取扱いについては、図６の系統図に示すように、精米機２７から排出糠を糠吸引ファン２７ｓによってサイクロン２７ｒに送り、糠と空気とを分離して糠袋２７ｂに糠を収容するとともに、その排出糠の一部または全部を研米機２８の排風路３１ｂに供給し、かつ、その供給制御用の切替手段２７ｄとして切替器または分配器を設ける。これにより、糠収容部２８ｂに備える研米用糠ファンによって研米機２８から排出される糠が堆積して排出路２８ｄの閉塞を招くという問題を解決することができる。
【００１９】
上記研米機２８の排出糠は粒子が小さくて粘性が高い白糠であり、また、精米機２７からの排出糠は粒子が比較的大きくこびりつきにくい赤糠であることから、この赤糠を研米機２８の排風路３１ｂに供給すると、こびりついた白糠を清掃する効果が確認された。また、切替手段２７ｄにより赤糠の供給を制御することにより、過剰供給による詰まりを抑えることができる。
【００２０】
次に、研米機２８の運転停止制御については、制御方法の３パターン（ａ）〜（ｃ）を図７に示すように、第１のパターン（ａ）は、回転速度を段階的に遅くした後に停止し、第２のパターン（ｂ）は、高速回転と低速回転とを交互に繰り返した後に停止し、第３のパターン（ｃ）は、正転と逆転とを交互に繰り返した後に停止するものであり、さらに、これらの組合わせパターンにて停止制御する。
【００２１】
このようにして、高速回転の遠心力によって滞留した米の排出を低速回転工程によって促進し、また、高速と低速の交互繰り返しにより、単に回転を遅くする場合より残留米の排出を更に促進することができる。その結果、研米機２８の回転する内外研磨体の間隙に米を投入した米がその間隙に滞留することがないので、残留米が次の利用者の米と混ざり合うという不具合を解消することができる。
【００２２】
次に、研米機２８の運転制御における経時的な取扱いについては、図８の回転速度による流量特性図に示すように、研米機２８の使用に伴う研磨材の磨耗により、その運転時間に基づいて回転速度を速めるように構成する。
【００２３】
研米機２８に樹脂研磨材を用いている場合は研磨材の磨耗に伴って研磨性能の低下が生じ、流量特性がＡ線から次第にＤ線に変化して同一回転速度の場合は次第に流量が増加する。このとき、米を流して研磨する研磨材の間隙を一定に確保するべく間隙調整するためには、構成が複雑化してコスト高となることから、流量を一定に維持するように運転時間の経過に応じて回転数を増加することにより、簡易に磨耗対応が可能となる。
【００２４】
次に、研米機２８の上部構造については、図９の要部拡大図に示すように、米を機外排出するための開閉可能な排出流路４１を研磨部の上部に構成する。
このように構成することにより、停電などで内部に詰まった米を研磨開始前の上部の米を排出流路から迂回排出することにより、発泡樹脂を研磨体とする乾式研磨構成の再起動時の過大負荷を軽減させて発泡樹脂による研磨体の破損を防止し、未研磨米を中途半端な研米状態で研磨する事態を回避し、かつ、短時間で内部の詰まりを解消することができる。
【００２５】
次に、研米機２８の縦軸回転部３１ｒについては、その要部側面図を図１０に示すように、多孔網による固定側の精米網３２に臨んでその中心位置で回転する縦軸回転部３１ｒを配置し、この縦軸回転部３１ｒの外周には、内部研磨樹脂による螺旋ブラシを形成し、この螺旋ブラシの螺旋植毛方向が研米動作時において穀物が流下する方向に形成する。複数の研米手段を多段に有する場合は、螺旋ブラシを最前段（最上段）に配置する。
【００２６】
公知の研米装置である多孔網と螺旋ブラシを上昇型に構成したもの（例えば、特許第３６２５４６９号等）では、流下方向に植毛すると研磨力は向上するが流量低下の問題が見込まれ、これに対して、上述のように構成することにより、流下型について流下方向の植毛による研磨力低下という先入観に反し、流下型であっても非常に大きな研米効果が確認され、また、２０００ｒｐｍ程度の高速回転を要する上昇型に対して、その半分の１０００ｒｐｍ程度の低速回転で十二分の研米効果が得られることが確認できた。このことから、上記構成により、米を痛めにくく、研磨材の磨耗も少なくすることができることが結論付けられる。
【００２７】
次に、精米機２７と研米機２８との連係処理については、精米機２７の後段に研米機２８を配置し、研米機２８は研米能力を変更可能に、例えば、回転速度、研磨体間隙寸法、回転方向を変更可能に構成し、精米初期と精米最終期について研米機２８の研米能力を高く運転制御する。
【００２８】
上記構成のように精米機２７と研米機２８とを連係処理することにより、後段の研米機２８の運転制御によって精米機による精米の初期と最終期における精米仕上がり度（白度）の低下を防止することができることから、精米機による再精米処理が不要となり、精米機２７に再精米用戻し機構を要しない簡易で低コストの装置により、再精米処理工程を省いて短時間で処理することができる。
【００２９】
また、精米機２７と研米機２８との別の連係処理については、図１１のシステム構成図に示すように、精米機２７と研米機２８との間に供給ホッパ４２を設け、この供給ホッパ４２に米が一杯になったことを検知するセンサ４２ｓを設け、米が一杯になったことをセンサ４２ｓによって検知すると精米機モータ２７ｄの回転数を下げるように制御部４３によって制御する。このとき、図１２の精米モータ回転数による圧迫力特性図に示すように、圧迫板２７ｐの圧迫力を増加させるように白度調節装置２７ｃによって精白度を保つ。そして、供給ホッパ４２内の米が減少した時に、再び、所定の回転数、圧迫力に戻す。
【００３０】
このように運転制御することにより、研米機２８が精米機２７より能率が低い場合において、研米機２８と精米機２７との能率の差によって供給ホッパ４２が一杯になった場合においても、圧迫板２７ｐを調節しつつ米の流れを調節することにより、精白度を保ちつつ米が溢れ出ることがない。
【００３１】
また、米を機外に排出するための開閉可能な排出流路４１を研磨部の上部に構成した場合の具体的な運転制御は、米研磨中検出手段と回転停止検出手段を設け、米研磨中に回転停止した場合において、次回の起動前に米を機外排出する流路に切替え、起動は低速回転でスタート可能に構成する。
【００３２】
このように運転制御することにより、停電などで米が内部に詰まったまま停止した後に、停電復旧後のメンテナンスでうっかりそのまま再起動した場合であっても流路が切替えられて米が機外に排出され、かつ、低速回転でスタートすることから、米が内部に詰まったまま高速再起動した際に研磨体に過大負荷が掛かって発泡樹脂による研磨体が破損する事態を防止することができる。
【図面の簡単な説明】
【００３３】
【図１】コイン式自動精米店舗の正面図（ａ）および側面図（ｂ）である。
【図２】看板装置の拡大側面図である。
【図３】建屋の機器配置図である。
【図４】建屋内の機器側面図である。
【図５】研米機の縦断面図である。
【図６】研米機の糠送り系統構成図である。
【図７】研米機の運転停止制御パターン（ａ）〜（ｃ）である。
【図８】研米機の回転速度による流量特性図である。
【図９】研米機の上部構造の要部拡大図である。
【図１０】研米機の縦軸回転部の要部側面図である。
【図１１】精米機と研米機との別の連係処理システム構成図である。
【図１２】精米モータ回転数による圧迫力特性図である。
【符号の説明】
【００３４】
１    建屋
１ｅ    正面口
２    屋根
３    内照式看板装置
４    支軸
１１    バックライト光源
１１    光源
１２    光源ケース
１２ａ    照明開口
１３    看板パネル
１４    支軸
２１    操作室
２７    精米機
２８    研米機
【図１】
2007047592.tif 000003
【図２】
2007047592.tif 000004
【図３】
2007047592.tif 000005
【図４】
2007047592.tif 000006
【図５】
2007047592.tif 000007
【図６】
2007047592.tif 000008
【図７】
2007047592.tif 000009
【図８】
2007047592.tif 000010
【図９】
2007047592.tif 000011
【図１０】
2007047592.tif 000012
【図１１】
2007047592.tif 000013
【図１２】
2007047592.tif 000014